(57)【要約】【課題】  呼吸器回路で使用される種類のコネクタの改良を提供する。【解決手段】  呼吸器アセンブリのためのコネクタ。コネクタは、第１の端部と第２の端部とを有する本体を含む。本体は、本体を通る流体及び物体の移送を可能にするために、第１の端部から第２の端部まで配置された通路が通っている。通路は、第１の端部と第２の端部との間で約１２０°方向を変える。第１の端部は、呼吸器アセンブリの第１の部材と回転可能に係合するように構成されたカプリングを含む。第２の端部は、呼吸器アセンブリの第２の部材と回転可能に係合するように構成されたカプリングを含む。
2005525145.tif 000002
【特許請求の範囲】
【請求項１】
第１の端部と第２の端部とを有する本体、
を含み、
前記本体は、該本体を通る流体及び物体の移送を可能にするために、前記第１の端部から前記第２の端部まで配置された通路が通っており、
前記通路は、前記第１の端部と前記第２の端部との間で約１２０°方向を変え、
前記第１の端部は、呼吸器アセンブリの第１の部材と回転可能に係合するように構成されたカプリングを含み、
前記第２の端部は、前記呼吸器アセンブリの第２の部材と回転可能に係合するように構成されたカプリングを含む、
ことを特徴とする、呼吸器アセンブリのためのコネクタ。
【請求項２】
前記第１の部材は、気管チューブであり、前記第２の部材は、換気チューブであることを特徴とする請求項１に記載の呼吸器アセンブリのためのコネクタ。
【請求項３】
前記第１及び第２の端部のカプリングは、中空メス型ベルハウジングを含むことを特徴とする請求項１に記載の呼吸器アセンブリのためのコネクタ。
【請求項４】
前記第１の端部のカプリングは、前記ベルハウジング内に第１のスリーブを含み、前記第１のスリーブの全周囲は、該第１のスリーブが前記第１の端部と回転係合したままになるように該第１の端部に対して回転可能であり、前記第１のスリーブは、前記第１の端部が前記第１の部材と回転可能に係合するように該第１の部材を受け入れるような大きさにされ、
前記第２の端部のカプリングは、前記ベルハウジング内に第２のスリーブを含み、前記第２のスリーブの全周囲は、該第２のスリーブが前記第２の端部と回転係合したままになるように該第２の端部に対して回転可能であり、前記第２のスリーブは、前記第２の端部が前記第２の部材と回転可能に係合するように該第２の部材を受け入れるような大きさにされる、
ことを特徴とする請求項３に記載の呼吸器アセンブリのためのコネクタ。
【請求項５】
前記第１のスリーブは、その一端上に、前記第１の端部上の第１の環状リブと係合するための第１の環状密封部材を有し、前記第１の環状密封部材と前記第１の環状リブとの間の係合は、該第１の環状密封部材の撓みを引き起こして前記第１のスリーブと前記第１の端部との間に基本的に密封したシールを生成し、
前記第２のスリーブは、その一端上に、前記第２の端部上の第２の環状リブと係合するための第２の環状密封部材を有し、前記第２の環状密封部材と前記第２の環状リブとの間の係合は、該第２の環状密封部材の撓みを引き起こして前記第２のスリーブと前記第２の端部との間に基本的に密封したシールを生成する、
ことを特徴とする請求項４に記載の呼吸器アセンブリのためのコネクタ。
【請求項６】
前記第１及び第２の端部は、それぞれ段付き環状リングを有し、
前記第１及び第２のスリーブを対応する前記第１及び第２の端部と係合した状態に保持するための、前記それぞれの環状リングに配置された第１及び第２のリテーナ、
を更に含むことを特徴とする請求項５に記載の呼吸器アセンブリのためのコネクタ。
【請求項７】
前記本体、前記第１の端部、及び前記第２の端部は、プラスチックであり、射出成形によって製造され、実質的に透明であることを特徴とする請求項１に記載の呼吸器アセンブリのためのコネクタ。
【請求項８】
前記第１の部材は、気管チューブであり、前記第２の部材は、加湿器チューブであることを特徴とする請求項１に記載の呼吸器アセンブリのためのコネクタ。
【請求項９】
実質的に円筒形状の第１の区域、
を含み、
前記第１の区域は、第１の軸線を有し、該第１の区域を通る流体及び物体の移送を可能にするための第１の通路が通っており、呼吸器アセンブリの第１の部材と回転可能に係合可能であり、
実質的に円筒形状で前記第１の区域と結合した第２の区域、
を更に含み、
前記第２の区域は、第２の軸線を有し、該第２の区域を通る流体及び物体の移送を可能にするために前記第１の通路と連通した第２の通路が通っており、前記呼吸器アセンブリの第２の部材と回転可能に係合可能であり、
前記第１の軸線と第２の軸線との間には、９０°よりも大きく１８０°よりも小さい角度が存在する、
ことを特徴とする、呼吸器アセンブリのためのコネクタ。
【請求項１０】
前記角度は、約１２０°であることを特徴とする請求項９に記載の呼吸器アセンブリのためのコネクタ。
【請求項１１】
前記第１の部材は、気管チューブであり、前記第２の部材は、換気チューブであることを特徴とする請求項９に記載の呼吸器アセンブリのためのコネクタ。
【請求項１２】
前記第１及び第２の区域は、中空メス型ベルハウジングを有することを特徴とする請求項９に記載の呼吸器アセンブリのためのコネクタ。
【請求項１３】
前記第１の区域の前記ベルハウジング内の第１のスリーブ、
を更に含み、
前記第１のスリーブの全表面は、該第１のスリーブが前記第１の区域と回転係合したままになるように該第１の区域に対して回転可能であり、前記第１のスリーブは、前記第１の区域が前記第１の部材と回転可能に係合するように該第１の部材を受け入れるような大きさにされ、
前記第２の区域の前記ベルハウジング内の第２のスリーブ、
を更に含み、
前記第２のスリーブの全表面は、該第２のスリーブが前記第２の区域と回転係合したままになるように該第２の区域に対して回転可能であり、前記第２のスリーブは、前記第２の区域が前記第２の部材と回転可能に係合するように該第２の部材を受け入れるような大きさにされる、
ことを特徴とする請求項１２に記載の呼吸器アセンブリのためのコネクタ。
【請求項１４】
前記第１のスリーブは、その一端上に、前記第１の区域上の第１の環状リブと係合するための第１の環状密封部材を有し、前記第１の環状密封部材と前記第１の環状リブとの間の係合は、該第１の環状密封部材の撓みを引き起こして前記第１のスリーブと前記第１の区域との間に基本的に密封したシールを生成し、
前記第２のスリーブは、その一端上に、前記第２の区域上の第２の環状リブと係合するための第２の環状密封部材を有し、前記第２の環状密封部材と前記第２の環状リブとの間の係合は、該第２の環状密封部材の撓みを引き起こして前記第２のスリーブと前記第２の区域との間に基本的に密封したシールを生成する、
ことを特徴とする請求項１３に記載の呼吸器アセンブリのためのコネクタ。
【請求項１５】
前記第１及び第２の区域は、それぞれ段付き環状リングを有し、
前記第１及び第２のスリーブを対応する前記第１及び第２の区域と係合した状態に保持するための、前記それぞれの環状リングに配置された第１及び第２のリテーナ、
を更に含むことを特徴とする請求項１４に記載の呼吸器アセンブリのためのコネクタ。
【請求項１６】
前記第１及び第２の区域は、プラスチックであり、実質的に透明であり、射出成形によって製造されることを特徴とする請求項９に記載の呼吸器アセンブリのためのコネクタ。
【請求項１７】
前記第１の部材は、気管チューブであり、前記第２の部材は、加湿器チューブであることを特徴とする請求項９に記載の呼吸器アセンブリのためのコネクタ。
【請求項１８】
第１の端部及び第２の端部を有する本体、
を含み、
前記本体は、該本体を通る流体及び物体の移送を可能にするための通路と、前記第１の端部と前記第２の端部との間に約１２０°の曲げを有し、
前記第１の端部に結合され、第１の環状リブを有する第１のメス型ベルハウジングと、
前記第２の端部に結合され、第２の環状リブを有する第２のメス型ベルハウジングと、
前記第１のメス型ベルハウジング内に配置された第１のスリーブと、
を更に含み、
前記第１のスリーブは、前記第１の環状リブと係合して前記通路と呼吸器アセンブリの外側との間に密封シールを達成するように構成された第１の環状密封部材を有し、
前記第２のメス型ベルハウジング内に配置された第２のスリーブ、
を更に含み、
前記第２のスリーブは、前記第２の環状リブと係合して前記通路と前記呼吸器アセンブリの外側との間に密封シールを達成するように構成された第２の環状密封部材を有し、
前記第１のスリーブは、前記呼吸器アセンブリの第１の部材と係合し、前記本体と該呼吸器アセンブリの該第１の部材との間の回転運動を可能にするようになっており、
前記第２のスリーブは、前記呼吸器アセンブリの第２の部材と係合し、前記本体と該呼吸器アセンブリの該第２の部材との間の回転運動を可能にするようになっている、
ことを特徴とする、呼吸器アセンブリのためのコネクタ。
【発明の詳細な説明】
【技術分野】
【０００１】
本発明は、呼吸器回路で使用される種類のコネクタの改良に関する。
【背景技術】
【０００２】
気管内挿管は、呼吸器医療の分野における一般的処置である。気管内挿管チューブは、呼吸気体通路のための人工気道及び患者への医療処置装置を提供するために多くの状況で用いられる。例えば、気管内チューブは、患者の肺の分泌物を除去するためにカテーテルを挿入するのに使用することができる。気管内チューブは、患者の自力呼吸が止まり人工呼吸器の援助が必要になった場合に使用することができる。更に、気管内挿管は、肺への酸素供給、肺からの残留二酸化炭素の除去又は低減、呼吸器系の各部分の視診、痰及び気体のサンプリング、呼吸器系内の気体の流量、圧力、及び温度のようなパラメータの計測、及び／又は、薬剤、気体、及び／又は洗浄剤の投与のような他の処置に使用することができる。
【０００３】
いくつかの呼吸器回路は、加湿器を含むことができる。患者に供給される呼吸気体は、良質の吸入療法を提供するために暖かくて加湿されている必要があるので加湿器は重要である。更に、呼吸器回路で加湿器を使用することは、患者が長い期間人工呼吸器に接続される場合は特に重要である。一般的に、人工呼吸器は、加湿器に空気を供給し、加湿器は、次に空気に湿分を与えて暖める。この暖かくて湿り気のある空気は、次に、気管内チューブを通じて患者に供給される。この気管内チューブは、通常は患者の口に近いマスクに取り付けられた“Ｙ”コネクタに結合される。“Ｙ”コネクタの一方の股には、加湿器からの呼吸用気体が供給されるが、“Ｙ”コネクタの他方の股は、一般的に患者から空気を除去するための呼気通路を提供する。
【０００４】
患者が動いて様々なチューブを引っ張る場合、そのような回路に長期間接続されている患者が不快感を経験することになるのはよくあることである。この問題に対する一つの解決方法は、可撓性チューブを使用することであるが、多くの用途において可撓性チューブの使用は、不可能か又は現実的でないかのいずれかである。例えば、十分に可撓性のある医療用チューブは、折れ曲がってチューブを通じた空気流を阻止することになる可能性があるであろう。従って、多くの呼吸器回路は、呼吸器回路において気管内チューブ及び他の構成要素を構成する上で中程度から硬いプラスチックチューブを使用する。
【０００５】
バラード・メディカル・プロダクツに譲渡された米国特許第５，６９４，９２２号は、密封シールを有する医療コネクタを示している。これらの密封シールは、患者の動きに応じて呼吸器回路が移動及び旋回するように考慮されており、従ってそのような動きの間に患者に伝達される力を軽減するので、患者の不快感を除去するのに有用である。米国特許第５，６９４，９２２号は、本明細書においてあらゆる目的に対してその全内容が引用により組み込まれる。
【０００６】
【特許文献１】米国特許第５，６９４，９２２号
【発明の開示】
【発明が解決しようとする課題】
【０００７】
本発明は、呼吸器回路で使用される種類のコネクタの改良である。
【課題を解決するための手段】
【０００８】
本発明の目的及び利点は、一部は以下の説明で示されており、又は、その説明から明らかであるか又は本発明の実施を通して得ることができる。
本発明は、呼吸器アセンブリで使用するためのコネクタを提供する。コネクタは、第１の端部と第２の端部とを備えた本体を有する。本体は、それを通って第１の端部から第２の端部まで配置された通路を有する。通路は、本体を通る流体及び物体の移送を可能にする。一実施形態では、通路は、第１の端部と第２の端部との間で約１２０°方向を変える。第１の端部は、呼吸器アセンブリの第１の部材と回転可能に係合するように構成されたカプリングを含む。また、第２の端部は、呼吸器アセンブリの第２の部材と回転可能に係合するように構成されたカプリングを含む。
【０００９】
本発明はまた、第１の部材が気管チューブであり、第２の部材が換気チューブである上述の呼吸器アセンブリのためのコネクタを含む。
同じく本発明に含まれるのは、形状が実質的に円筒形の第１の区域を有し、かつ第１の軸線を有する呼吸器アセンブリのためのコネクタである。第１の区域はまた、それを通る第１の通路を有し、それは、第１の区域を通じて流体及び物体の移送を可能にする。第１の区域は、呼吸器アセンブリの第１の部材と回転可能に係合可能である。また、形状が実質的に円筒形の第２の区域が含まれる。第２の区域は、第１の区域に結合されており、第２の軸線を有する。第２の区域には、第１の通路と連通する第２の通路が通っており、これは、第２の区域を通じて流体及び物体の移送を可能にする。第２の区域は、呼吸器アセンブリの第２の部材と回転可能に係合可能である。更に、第１の軸線と第２の軸線との間には、１８０°よりも小さく９０°よりも大きい角度が存在する。
【００１０】
代替的に、本発明は、角度が約１２０°である以下に説明する例示的実施形態を含む。
更に本発明に含まれるのは、第１の部材が気管チューブであり、第２の部材が換気チューブである上述の呼吸器アセンブリのためのコネクタである。
同じく本発明に含まれるのは、第１の端部及び第２の端部の両方を備えた本体を有する呼吸器アセンブリのためのコネクタである。本体は、流体及び物体を通して移送するための通路を有する。本体はまた、第１の端部と第２の端部との間に約１００°と１５０°の間の曲がりを有する。第１のメス型ベルハウジングは、第１の端部に結合され、第１の環状リブを有する。また、第２のメス型ベルハウジングは、第２の端部に結合され、第２の環状リブを有する。第１のスリーブは、第１のメス型ベルハウジング内に配置される。第１のスリーブは、第１の環状リブと係合するように構成された第１の環状密封部材を有する。この係合は、通路と呼吸器アセンブリの外側との間に密封シールを生成する。更に、第２のスリーブは、第２のメス型ベルハウジング内に配置される。第２のスリーブは、第２の環状リブと係合するように構成された第２の環状密封部材を有する。この係合は、通路と呼吸器アセンブリの外側との間に密封シールを生じさせる。第１のスリーブは、呼吸器アセンブリの第１の部材と係合するようになっており、本体と呼吸器アセンブリの第１の部材との間の回転運動を可能にする。また、第２のスリーブは、呼吸器アセンブリの第２の部材と係合するようになっており、本体と呼吸器アセンブリの第２の部材との間の回転運動を可能にする。
本発明の実施形態は、添付図面を参照して例示的に説明される。
【発明を実施するための最良の形態】
【００１１】
ここで、１つ又はそれ以上の実施例が図面で説明されている本発明の実施形態の詳細を参照する。各実施例は、本発明の説明のために提供するものであり、本発明を限定する意味はない。例えば、一実施形態の一部として図示又は説明された特徴は、別の実施形態と共に用いて更に第３の実施形態をもたらすことができる。本発明は、上記及び他の変更及び変形を含むものとする。
図を参照すると、図１は、本発明によるコネクタ１０の例示的実施形態を示している。コネクタ１０は、第１の区域５０及び第２の区域５２を含んで示されている。コネクタ１０の本体を形成する第１の端部１２及び第２の端部１４が存在する。第１の端部１２から第２の端部１４までの通路１６が存在し、コネクタ１０を通る医療装置及び流体の移送を可能にする。
【００１２】
カプリング６２は、第１の端部１２及び第２の端部１４上の両方に含まれる。カプリング６２は、呼吸器回路のチューブ及び装置（図示しない）に対するコネクタ１０の結合を可能にするために設けられる。図１に示すように、カプリング６２は、第１端部メス型ベルハウジング１８及び第２端部メス型ベルハウジング２０として設計される。２つのベルハウジング１８及び２０は、呼吸器回路の異なる大きさのチューブと係合するために異なる大きさにされる。結合された状態で、医療装置及び流体は、通路１６を通じて一方のチューブから他方へと移送することができる。通路１６は、第１の端部１２を通って延びる第１の通路５８、及び第２の端部１４を通って延びる第２の通路６０で作られる。２つの通路５８及び６０は、コネクタ１０内で互いに交差する。
【００１３】
第１の通路５８には、第１の軸線が通っており、第２の通路６０には、第２の軸線５６が通っている。９０°よりも大きく約１８０°よりも小さい角度が、第１の軸線５４と第２の軸線５６との間に形成される。この角度は、約１００°から約１５０°の範囲としてもよい。望ましい一実施形態では、この角度は、約１２０°である。これは、コネクタの長さを通じて約１２０°の曲がりを有するコネクタ１０をもたらす。しかし、第１の軸線５４と第２の軸線５６との間の角度が１２０°以外である本発明の他の例示的実施形態が存在することは理解されるものとする。
【００１４】
角度は、１２０°より大きくても小さくてもよいが、１２０°の角度は、コネクタ１０が呼吸器回路に組み込まれた場合に患者の高度の快適性を可能にする。更に、約１２０°の角度は、コネクタ１０が呼吸器回路に組み込まれた場合に、医療介護者に対するより大きな使い易さを可能にする。本発明の例示的な一実施形態では、コネクタ１０は、患者の気管内チューブの人工呼吸器回路に取り付けることができる。別の例示的実施形態では、コネクタ１０は、呼吸器回路の気管チューブ及び加湿器チューブ（図示しない）に取り付けられる。更に、コネクタ１０は、呼吸器回路の他の構成要素に結合することができ、本発明は、コネクタ１０が特定のチューブ、器具、又は装置に取り付けられる例示的実施形態に限定されない。
【００１５】
図２及び図３は、それぞれ、本発明によるコネクタ１０の例示的実施形態の正面図及び側面図を示す。第１の端部１２及び第２の端部１４の間の角度は、約１２０°である。コネクタ１０は、一実施形態では、プラスチックで製造することができ、射出成形によって形成することができる。更に、本発明の別の例示的実施形態では、１２０°のエルボとしてのコネクタ１０は、患者に使用するように構成された患者側加湿器呼吸回路内に組み込むことができる。
【００１６】
図４は、図１の第２端部メス型ベルハウジング２０の詳細断面図を示す。ここで、第２の端部１４は、第２の通路６０の円周の周りに配置された第２の環状リブ３４を有するように示されている。しかし、本発明の他の例示的実施形態では、第２の環状リブ３４を異なる場所に置くことができることは理解されるものとする。図５は、第１の端部１２を通って第１の通路５８の周囲に配置された第１の環状リブ３０を示す。第１の環状リブ３０は、図４に示す第２の環状リブ３４に類似して同様に作動する。環状リブ３０及び３４の作動を以下に説明する。
【００１７】
本発明の例示的実施形態は、第１の端部１２と第２の端部１４とを有するコネクタ１０を提供し、端部には、両方とも、コネクタ１０に結合されたチューブに対してコネクタ１０を回転させるように回転取付部品を有するカプリング６２が設けられている。コネクタ１０の端部１２及び１４上に回転取付部品を設けることは、それらが患者の不快感を最小にし、呼吸器回路の効率を増大し、呼吸器回路を通る流れの通路の閉塞を防止するのを助ける点で有利である。しかし、回転取付部品の組み込みは、取付部品が気密性を有し、呼吸器回路及び大気間を出入りする流体の漏れを防止するような設計を必要とする。気密性を有する回転取付部品をもたらす設計は、本出願の出願人に譲渡され、あらゆる目的で本明細書においてその全内容が引用により組み込まれる米国特許第５，６９４，９２２号に見出される。
【００１８】
コネクタ１０の例示的実施形態を図６に示す。ここで、第１の端部１２には、段付き環状リング３６を有する第１端部メス型ベルハウジング１８が設けられる。更に、第２の端部１４には、段付き環状リング３８を有する第２端部メス型ベルハウジング２０が設けられる。第１端部メス型ベルハウジング１８は、第１のスリーブ２２を受け入れるように設計される。第２端部メス型ベルハウジング２０は、第２のスリーブ２４を受け入れるように設計される。第１のリテーナ４０は、第１のスリーブ２２の上を摺動して第１端部メス型ベルハウジング１８の段付き環状リング３６内に嵌合することができる。また、第２のリテーナ４２は、第２のスリーブ２４の上に配置され、段付き環状リング３８内の第２端部メス型ベルハウジング２０内に嵌合することができる。本発明の例示的な一実施形態では、気管器チューブは、コネクタ１０と回転可能に取り付けられ、それを通じて互いに連通するように、第１及び第２のスリーブ２２及び２４に取り付けることができる。更に、本発明の別の例示的実施形態は、気管器チューブが互いに連通して互いに可動であるようにリテーナ４０及び４２に結合されたコネクタ１０を含む。第１及び第２のリテーナ４０及び４２は、従って、第１及び第２のスリーブ２２及び２４上でフランジを有するブッシングとして機能し、第１及び第２の段付き環状リング３６及び３８と回転可能に係合する。
【００１９】
第１のスリーブ２２には、その一端上に第１の環状密封部材２６が設けられ、第２のスリーブ２４には、その一端上に第２の環状密封部材２８が設けられる。図７は、本発明の例示的実施形態による第２端部メス型ベルハウジング２０の詳細断面図を示す。第２端部メス型ベルハウジング２０は、第２の環状リブ３４が形成されたものとして示されている。また、第２のスリーブ２４は、断続的な溝を有する一対の突起として第２の環状密封部材２８を有するように示されている。第２の環状密封部材２８は、第２端部メス型ベルハウジング２０内に一対の密封シール３２を達成するために第２の環状リブ３４上に強く押し込まれる。２つの密封シール３２を有するように示されているが、本発明の他の例示的実施形態は、単に１つの密封シール３２又はいくつかの密封シール３２を有する結合を含むことは理解されるものとする。密封シール３２は、呼吸器回路の内側と呼吸器回路の外側との間の流体の通過を阻止する。事実上、流体は、密封シール３２によって通路１６を出て大気へ逃げないように防止される。この密封構成はまた、呼吸器回路の汚染を防止する。
【００２０】
第１及び第２端部メス型ベルハウジング１８及び２０を有するように示されているが、本発明の他の例示的実施形態は、呼吸器回路のチューブに結合するのに用いるオス型ハウジングを有するコネクタ１０を含むことができることは理解されるものとする。更に、カプリング６２が、回転取付部品ではなくコネクタ１０と呼吸器回路のチューブ及び装置との間の剛体結合である本発明の他の例示的実施形態が存在する。そこでは、端部１２及び１４は、当業技術で公知の他の手段によって呼吸器回路に対して回転するように設計される。コネクタ１０は、それが呼吸器回路のチューブ及び装置に対して容易に着脱可能なようにカプリング６２を使用して形成してもよい。更に、コネクタ１０が、呼吸器回路のチューブ及び装置に対して恒久的に結合された本発明の他の例示的実施形態が存在する。コネクタ１０は、透明でも不透明でよく、ポリカーボネート、アクリル、ｋ樹脂、ＡＢＳ、又は他の適切な材料のような材料から射出成形することができる。
本発明は、本明細書で説明した医療用コネクタの例示的実施形態に対して特許請求の範囲及びその均等物の範囲に該当する場合に為すことができる様々な変更を含むことを理解すべきである。
【図面の簡単な説明】
【００２１】
【図１】両端にベルハウジングを有する医療用コネクタを示す、本発明による医療用コネクタの例示的実施形態の断面図である。
【図２】図１に示す医療用コネクタの例示的実施形態の正面図である。
【図３】図１に示す医療用コネクタの例示的実施形態の側面図である。
【図４】第２端部メス型ベルハウジング内に配置された第２の環状リブを示す、図１の第２端部メス型ベルハウジングの詳細断面図である。
【図５】第１端部メス型ベルハウジング内に配置された第１の環状リブを示す、図１の第１端部メス型ベルハウジングの詳細断面図である。
【図６】コネクタのベルハウジング内に挿入されることになる第１及び第２のリテーナと共に第１及び第２のスリーブを示す、本発明による医療用コネクタの例示的実施形態の分解組立断面図である。
【図７】密封シールを形成するために第２の環状リブに係合する第２の環状密封部材を示す、図６の第２端部メス型ベルハウジングの詳細断面図である。
【符号の説明】
【００２２】
１０  コネクタ
１２  第１の端部
１４  第２の端部
１６  通路
１８  第１端部メス型ベルハウジング
２０  第２端部メス型ベルハウジング
５０  第１の区域
５２  第２の区域
６２  カプリング
【図１】
2005525145.tif 000003
【図２】
2005525145.tif 000004
【図３】
2005525145.tif 000005
【図４】
2005525145.tif 000006
【図５】
2005525145.tif 000007
【図６】
2005525145.tif 000008
【図７】
2005525145.tif 000009
【国際調査報告】
2005525145.tif 000010
2005525145.tif 000011